(57)【要約】  複数の地上位置への同時の２方向の安定した通信リンクのために構成されたレーザ通信端末。そのようなレーザ通信端末の一例は、光信号を送受信するように構成されたチャネルトランシーバを各々が含む複数のレーザチャネルと、チャネルトランシーバの各々と光学的に結合された無限焦点望遠鏡と、無限焦点望遠鏡と光学的に結合されたシーロスタットミラー対と、複数のビームステアリングミラーとを含み、少なくとも１つのビームステアリングミラーは、複数のレーザチャネルの各チャネルと関連付けられ、無限焦点望遠鏡の視野内において対応する光信号を独立してステアリングするように構成される。
2016510557.tif 000002
【特許請求の範囲】
【請求項１】
レーザ通信端末であって、
複数のレーザチャネルを含み、各前記レーザチャネルは光信号を送受信するように構成されたチャネルトランシーバを含み、前記レーザ通信端末はさらに、
前記チャネルトランシーバの各々と光学的に結合された無限焦点望遠鏡と、
前記無限焦点望遠鏡と光学的に結合されたシーロスタットミラー対と、
複数のビームステアリングミラーとを含み、少なくとも１つのビームステアリングミラーは、前記複数のレーザチャネルの各チャネルと関連付けられ、前記無限焦点望遠鏡の視野内において対応する光信号を独立してステアリングするように構成される、レーザ通信端末。
【請求項２】
前記レーザ通信端末はジンバルを含むプラットフォーム上に搭載され、
前記シーロスタットミラー対は前記ジンバル上に搭載され、
前記複数のチャネルトランシーバおよび前記複数のビームステアリングミラーは、前記ジンバル上ではなく前記プラットフォームの本体上に搭載される、請求項１に記載のレーザ通信端末。
【請求項３】
前記無限焦点望遠鏡は前記ジンバル上ではなく前記プラットフォームの前記本体上に搭載される、請求項２に記載のレーザ通信端末。
【請求項４】
前記無限焦点望遠鏡は３ミラーアナスチグマートを含む、請求項３に記載のレーザ通信端末。
【請求項５】
前記無限焦点望遠鏡は前記ジンバル上に搭載される、請求項２に記載のレーザ通信端末。
【請求項６】
前記無限焦点望遠鏡は、
屈折力を有する一次ミラーと、
前記一次ミラーから光信号を受け、前記光信号を反射するように構成された、屈折力を有する二次ミラーと、
前記二次ミラーから反射された前記光信号を受け、前記光信号をさらに反射するように構成された四次ミラーと、
前記四次ミラーから反射された前記光信号を受け、前記光信号を前記シーロスタットミラー対に向けるように構成された、屈折力を有する三次ミラーとを含む、請求項５に記載のレーザ通信端末。
【請求項７】
前記四次ミラーは実質的に平坦なミラーである、請求項６に記載のレーザ通信端末。
【請求項８】
前記複数のビームステアリングミラーは前記複数のレーザチャネルの各チャネルに関連付けられるビームステアリングミラーの対を含み、前記ビームステアリングミラーの対は、対応する光信号を、前記無限焦点望遠鏡の視野内において二次元にわたってステアリングするように構成される、請求項６に記載のレーザ通信端末。
【請求項９】
前記無限焦点望遠鏡の視野は約１度と約２度との間にある、請求項１〜８のいずれかに記載のレーザ通信端末。
【請求項１０】
レーザ通信を与える方法であって、
各々がレーザ通信チャネルに対応する複数の光信号を生成することを含み、各レーザ通信チャネルは地上ベースの位置と関連付けられ、前記方法はさらに、
前記複数の光信号を無限焦点望遠鏡で送信することと、
各光信号を前記無限焦点望遠鏡の視野内において独立してステアリングして、各光信号を、関連付けられる地上ベースの位置に向けることとを含む、方法。
【請求項１１】
前記各光信号を独立してステアリングすることは、各光信号を、前記無限焦点望遠鏡とは離れているそれぞれのビームステアリングミラーで、独立してステアリングすることを含む、請求項１０に記載の方法。
【請求項１２】
前記複数の光信号を前記無限焦点望遠鏡で送信することは、前記複数の光信号を前記無限焦点望遠鏡からシーロスタットミラー対に向けることを含み、前記方法はさらに、前記複数の光信号を前記シーロスタットミラー対からそれぞれの関連付けられる地上ベースの位置に向けることを含む、請求項１１に記載の方法。
【請求項１３】
前記各光信号を独立してステアリングすることは、各光信号を、前記無限焦点望遠鏡とは離れているそれぞれのビームステアリングミラーの対で、独立してステアリングすることを含む、請求項１０に記載の方法。
【請求項１４】
各レーザ通信チャネルごとに、関連付けられる地上ベースの位置によって送信されるビーコン信号を監視することをさらに含み、
各光信号を独立してステアリングすることは、前記関連付けられる地上ベースの位置からの前記ビーコン信号の受信に基づいて各光をステアリングすることを含む、請求項１０に記載の方法。
【請求項１５】
前記関連付けられる地上ベースの位置からの前記ビーコン信号の受信がないことに応答して、代替の地上ベースの位置を選択することと、
前記関連付けられる地上ベースの位置と関連付けられるレーザ通信チャネルに対応する光信号をステアリングして、前記光信号を前記代替の地上ベースの位置に向けることとをさらに含む、請求項１４に記載の方法。
【発明の詳細な説明】
【背景技術】
【０００１】
背景
レーザを用いる空間対地上通信では、気象条件が長い間大きな問題だった。レーザ通信が望ましいのは、レーザチャネルが、無線周波数（ＲＦ）チャネルよりも、はるかにより大きい帯域幅、およびしたがってはるかにより大きいデータ速度を可能にし得るからである。従来、気象緩和措置は、レーザに基づいた通信からＲＦに基づいた技術への切換えを、スループットにおける損失を付随して、伴うことがよくある。代替的に、気象関連の問題は、従来非常に小さい視野（たとえばほんの数マイクロラジアン）を有するため各々が単一の位置にアクセスするように構成される複数のレーザ通信端末を用いることによって、または天候を回避するために端末を他の場所に移動することを試みることによって、対処されてもよい。しかしながら、これらの解決策の各々は、関連付けられるコストおよびＳＷＡＰ（サイズ、重量およびパワー）ペナルティを有する。加えて、端末の移動は、端末が移動されている間、通信システムにおいて避けられないダウンタイムを結果として生じるかもしれない。
【発明の概要】
【課題を解決するための手段】
【０００２】
局面および実施の形態は、相対的に広視野にわたって独立してステアリングされることが可能である複数の独立したチャネルをサポートすることが可能である先進のレーザ通信端末に向けられる。
【０００３】
一実施の形態によれば、レーザ通信端末は、光信号を送受信するように構成されたチャネルトランシーバを各々が含む複数のレーザチャネルと、チャネルトランシーバの各々と光学的に結合された無限焦点望遠鏡と、無限焦点望遠鏡と光学的に結合されたシーロスタットミラー対と、複数のビームステアリングミラーとを含み、少なくとも１つのビームステアリングミラーは、複数のレーザチャネルの各チャネルと関連付けられ、無限焦点望遠鏡の視野内において対応する光信号を独立してステアリングするように構成される。
【０００４】
レーザ通信端末はジンバルを含むプラットフォーム上に搭載されてもよい。一例では、シーロスタットミラー対はジンバル上に搭載され、複数のチャネルトランシーバおよび複数のビームステアリングミラーは、ジンバル上ではなくプラットフォームの本体上に搭載される。一例では、無限焦点望遠鏡はジンバル上ではなくプラットフォームの本体上に搭載される。無限焦点望遠鏡は３ミラーアナスチグマートを含んでもよい。他の例では、無限焦点望遠鏡はジンバル上に搭載される。無限焦点望遠鏡は、屈折力を有する一次ミラーと、一次ミラーから光信号を受け、光信号を反射するように構成された、屈折力を有する二次ミラーと、二次ミラーから反射された光信号を受け、光信号をさらに反射するように構成された四次ミラーと、四次ミラーから反射された光信号を受け、光信号をシーロスタットミラー対に向けるように構成された、屈折力を有する三次ミラーとを含んでもよい。一例では、四次ミラーは実質的に平坦なミラーである。複数のビームステアリングミラーは複数のレーザチャネルの各チャネルに関連付けられるビームステアリングミラーの対を含み、ビームステアリングミラーの対は、対応する光信号を、無限焦点望遠鏡の視野内において二次元にわたってステアリングするように構成されてもよい。一例では、無限焦点望遠鏡の視野は約１度と約２度との間にある。
【０００５】
他の実施の形態によると、レーザ通信を与える方法は、各々がレーザ通信チャネルに対応する複数の光信号を生成することを含み、各レーザ通信チャネルは地上ベースの位置と関連付けられ、この方法はさらに、複数の光信号を無限焦点望遠鏡で送信することと、各光信号を無限焦点望遠鏡の視野内において独立してステアリングして、各光信号を、関連付けられる地上ベースの位置に向けることとを含む。
【０００６】
この方法の一例では、各光信号を独立してステアリングすることは、各光信号を、無限焦点望遠鏡とは離れているそれぞれのビームステアリングミラーで、独立してステアリングすることを含む。別の例では、複数の光信号を無限焦点望遠鏡で送信することは、複数の光信号を無限焦点望遠鏡からシーロスタットミラー対に向けることを含み、この方法はさらに、複数の光信号をシーロスタットミラー対からそれぞれの関連付けられる地上ベースの位置に向けることを含んでもよい。別の例では、各光信号を独立してステアリングすることは、各光信号を、無限焦点望遠鏡とは離れているそれぞれのビームステアリングミラーの対で、独立してステアリングすることを含む。この方法はさらに、各レーザ通信チャネルごとに、関連付けられる地上ベースの位置によって送信されるビーコン信号を監視することを含んでもよく、各光信号を独立してステアリングすることは、関連付けられる地上ベースの位置からのビーコン信号の受信に基づいて各光をステアリングすることを含む。一例では、この方法は、関連付けられる地上ベースの位置からのビーコン信号の受信がないことに応答して、代替の地上ベースの位置を選択することと、関連付けられる地上ベースの位置と関連付けられるレーザ通信チャネルに対応する光信号をステアリングして、光信号を代替の地上ベースの位置に向けることとをさらに含む。
【０００７】
これらの例示的な局面および実施の形態の、さらなる他の局面、実施の形態および利点が、詳細に以下に論じられる。ここに開示される実施の形態は、ここに開示される原理の少なくとも１つと整合する任意の態様で他の実施の形態と組み合わせられてもよく、「実施の形態」、「ある実施の形態」、「代替的な実施の形態」、「さまざまな実施の形態」および「一実施の形態」などへの言及は、必ずしも相互排除的ではなく、記載される特定の特徴、構造または特性が少なくとも一実施の形態において含まれてもよいことを示すことが意図される。そのような用語の出現はここにおいては必ずしもすべてが同じ実施の形態に言及してはいない。
【０００８】
図面の簡単な説明
少なくとも一実施の形態のさまざまな局面が、尺度決めされるようには意図されない添付の図を参照して以下に論じられる。図は説明ならびにさまざまな局面および実施の形態のさらなる理解を与えるように含まれ、この明細書に組み込まれ、この明細書の一部を構成するが、この発明の限定の定義として意図されるものではない。図では、さまざまな図において示される同一またはほとんど同一の各構成要素は、同様の番号によって表される。明瞭にするため、すべての構成要素がすべての図において符号付けられるとは限らない。
【図面の簡単な説明】
【０００９】
【図１】この発明の局面に従うレーザ通信端末の一例のブロック図である。
【図２】この発明の局面に従う図１のレーザ通信端末の一部に対応するレイトレースである。
【図３】この発明の局面に従うレーザ通信端末の他の例のブロック図である。
【図４】この発明の局面に従う図３のレーザ通信端末の一部に対応するレイトレースである。
【発明を実施するための形態】
【００１０】
詳細な記載
局面および実施の形態は、同時に複数の位置にアクセスし、非常に限定された視野および任意の所与の時間において１つの位置にのみアクセスする能力を有する従来のＬＣ端末を超える先進の能力を与える能力を有するレーザ通信（ＬＣ）端末に向けられる。上に論じられるように、気象現象は空間対地上レーザ通信の文脈において著しい問題であり得る。しかしながら、大抵の気象パターンは適度に局地化される。統計的に、位置間の地上分離が大きいほど、１つの位置における悪天候が代替位置における同様の悪天候に相互に関連しない可能性が大きい。したがって、局面および実施の形態は、地上においてたとえば何百キロメートルという大きな距離によって分離された複数の地上位置に同時の２方向の安定した通信リンクを与えることが可能であるレーザ通信端末に向けられる。これらの地上位置は、たとえば光ファイバまたは他の高帯域幅ケーブルを用いて、ともにリンクされてもよい。したがって、１つの位置へのアクセスが天候のために途絶されても、通信は他の位置と確立されてもよく、任意で、ケーブルを介して最初の位置に伝達されてもよい。このように、通信に対する局所化された気象の影響は緩和され得る。
【００１１】
より詳細に以下に論じられるように、ある実施の形態によれば、ＬＣ端末は、端末の前置光学系と関連付けられる相対的に広い視野内において、複数の独立した個々にステアリング可能なチャネルを収容する。各チャネルは、異なる地上ベースの位置と関連付けられてもよい。したがって、全体的な動眼視野（ＦＯＲ）内において端末の位置を変えずに、局面および実施の形態は、端末の視野（ＦＯＶ）内において最良の地上位置への高速アクセスを可能にし、それによって、天候緩和措置を可能にする。加えて、さらに以下に論じられるように、ある実施の形態は、システムにおいて可能な限りわずかな移動質量で広視野を与え、任意ですべてまたはほとんどの複雑で、機械的、熱的、および電気的な装置を「ジンバル外で」維持するように構成される。
【００１２】
ここに論じられる方法および装置の実施の形態は、適用において、以下の記載に述べられるかまたは添付の図面に示される構築物の詳細および構成要素の配置に限定されないことが理解される。方法および装置は、他の実施の形態における実現、およびさまざまな態様における実施または実行が可能である。具体的な実現例は、例示の目的のみのためにここに与えられ、限定するようには意図されない。特に、任意の１つ以上の実施の形態と関連して論じられる動作、要素および特徴は、任意の他の実施の形態において同様の役割から排除されるようには意図されない。さらに、ここに用いられる語法および用語は、記載の目的のためであり、限定するように見なされるべきでない。ここにおける「含む」、「備える」、「有する」、「含有する」、「伴う」およびその変形の使用は、その後列挙される項目およびそれらの等価物ならびにさらなる項目を包含するよう意味される。「または」への言及は包含的であるように解釈され得、「または」を使用して記載される任意の用語は、その記載される用語の１つ、２つ以上、およびすべてのいずれを示してもよい。
【００１３】
ある実施の形態によれば、空間ベースのレーザ通信（ＬＣ）端末はビークルまたは航宙機（たとえば人工衛星など）上に搭載されるように構成される。ビークルは、ここにおいては、ジンバルと呼ばれる、可動で、一般に回転可能なプラットフォームを含み、その上には、ＬＣ端末の光学構成要素の少なくともいくつかが位置される。ジンバルの回転、およびしたがってジンバルに位置する構成要素は、たとえば約２０〜４０°の広い動眼視野（ＷＦＯＲ）を与え、それは、空間ベースのプラットフォームから、地上において非常に広い領域にわたってカバレージを与えるのに十分である。加えて、ＬＣ端末は、約１〜２°の内部の広視野（ＷＦＯＶ）とともに構成される。したがって、さらに以下に論じられるように、ＬＣ端末は、ＷＦＯＲ指示装置およびＷＦＯＶ無限焦点望遠鏡を含んでもよい。ＬＣ端末は２つ以上の独立したチャネルに対応するように構成されてもよく、したがって、多数の周知のチャネル分割技術のいずれかを実現するように構成されてもよい。さらに以下に論じられるように、ＬＣ端末はシステムの視野内においてチャネルの各々をステアリングするビームステアリング装置を含んでもよく、さらに、さまざまな視準および結像構成要素を含むことにより、この開示の恩恵を与えられて、当業者によって評価され理解されるように、２方向通信と関連付けられる送受信機能を実行してもよい。
【００１４】
図１を参照して、ある局面および実施の形態に従うＬＣ端末の一例の機能ブロック図が示される。この例において、ＬＣ端末は２つの独立したチャネルを含み、したがって、それぞれ（ここではチャネル１およびチャネル２と呼ばれる）第１および第２のチャネルと関連付けられる、第１および第２のトランシーバ１１０、１２０を含む。ビームスプリッタ１３０（または他のチャネル分割装置）は、２つのチャネルを分離するために用いられる。無限焦点前置光学系１４０はすべてチャネルのための共通光路において位置決めされ、ＬＣ端末のための視野を与える。上に論じられるように、一例では、この視野は約１〜２°であり、それは低い地球軌道人工衛星からでも、たとえば数百キロメートルにわたる地上における広い領域をカバーする。無限焦点前置光学系１４０は、シーロスタットミラー対１５０との間で各チャネルに対する光束を向ける。一例では、シーロスタットミラー対は、光学的にともに結合される第１のミラー１５２および第２のミラー１５４を含む。
【００１５】
図１に示された例においては、線１６０の左に位置決めされる構成要素は「ジンバル上に」搭載され、線１６０の右の構成要素は「ジンバル外に」（たとえばＬＣ端末が位置されるビークルの本体上に）搭載される。したがって、図１に示される例において、シーロスタットミラー対１５０は無限焦点前置光学系１４０に対して物空間に位置し、無限焦点前置光学系はジンバル外にある。一実施の形態によると、ＬＣ端末は、さらに、各チャネルごとにビームステアリングミラーを含み、すなわち、チャネル１と関連付けられる第１のビームステアリングミラー１１５およびチャネル２と関連付けられる第２のビームステアリングミラー１２５を含む。ビームステアリングミラー１１５、１２５は、無限焦点前置光学系の視野内においてそれぞれのチャネルと関連付けられる光束を差し向けるため、および光束安定化のために、用いられてもよい。ビームステアリングミラー１１５、１２５を用いて、各チャネルは、無限焦点前置光学系１４０の視野内においてその関連付けられる地上位置に正確に向けられてもよい。ある例では、ビームステアリングミラー１１５、１２５の使用は、それが、より多くの質量を有する構成要素ではなく、小さいミラーのみを移動させることによって、光束の差し向けを可能にするという点で有利であってもよく、したがって、パワー要件の点、およびより正確な差し向けを可能にしている点において、効率的であってもよい。
【００１６】
図２は、図１のＬＣ端末において用いられてもよいＷＦＯＶ無限焦点前置光学系１４０の一例のレイトレースであり、物空間におけるシーロスタットミラー対１５０の位置決めも示す。示された例では、無限焦点前置光学系１４０は３ミラーアナスチグマート（ＴＭＡ）であり、一次ミラー２１０、二次ミラー２２０および三次ミラー２３０を含む。一例では、図２に示されるＴＭＡ形式を有する無限焦点前置光学系１４０は、２°の視野および４Ｘ倍率を有する。
【００１７】
図１および図２を参照して上に論じられるＬＣ端末は、無限焦点前置光学系１４０の視野内において複数の独立してステアリング可能なチャネルを与えることが可能である。加えて、無限焦点前置光学系１４０の視野は、ジンバル上シーロスタットミラー対１５０を回転させることによって、端末の、より広い動眼視野上を走査されてもよい。この構成は、各チャネルが、ある特定の位置と関連付けられ、その特定の位置に向けられ得るので、端末が複数の地上ベースの位置を同時にアクセスすることを可能にする。上に論じられるように、互いから相対的に遠く離れて離間される複数の地上ベースの位置は、ＬＣ端末の１〜２°視野内に包含されてもよい。加えて、動眼視野内において視野を移動させることによって、代替位置がアクセスされてもよい。
【００１８】
上記の論じられた例では、無限焦点前置光学系１４０はジンバル外に位置する。他の実施の形態では、ＬＣ端末は、ジンバル上に位置される無限焦点前置光学系を含んでもよい。図３を参照して、内部のシーロスタットミラー対３４０およびジンバル上無限焦点前置光学系３３０を含むＬＣ端末の一例の機能ブロック図が示される。図１に関して上に論じられた例と同様に、シーロスタットミラー対３４０は、光学的にともに結合される第１のミラー３４２および第２のミラー３４４を含んでもよい。各チャネルはビームステアリングミラー対３１０、３２０を含んでもよい。無限焦点前置光学系３３０がジンバル上に位置されるこの例では、単一のビームステアリングミラーではなく、ビームステアリングミラー対が、無限焦点前置光学系３３０の視野内において二次元（たとえば方位および高さ）にわたって光束をステアリングするために必要であってもよい。上に論じられるように、ビームステアリングミラー対３１０および３２０を用いて、各チャネルの光束をその関連付けられる地上位置に向かって向け、さらに、ビームステアリングミラー対３１０および３２０を光束安定化に対して用いてもよい。
【００１９】
図４は、図３のＬＣ端末の実施の形態において用いられてもよい内部のシーロスタットミラー対３４０を含むＷＦＯＶ無限焦点前置光学系３３０構成の一例のレイトレースである。示された例では、ＷＦＯＶ無限焦点前置光学系３３０は屈折力を有する３つのミラー、つまり一次ミラー４１０、二次ミラー４２０および三次ミラー４３０を含む。ＷＦＯＶ無限焦点前置光学系３３０は、図４において示されるように、二次ミラー４２０と三次ミラー４３０との間に光学的に位置決めされる四次ミラー４４０をさらに含む。一例では、四次ミラー４４０は実質的に平坦である。したがって、この構成では、ＷＦＯＶ無限焦点前置光学系３３０は、図２において示される３ミラーアナスチグマートと同様の光学的形式を含むが、しかしさらに四次ミラー４４０を含む。一例では、ＷＦＯＶ無限焦点前置光学系３３０は、２°の視野および４Ｘ倍率を有する。下記の表１は、図４のＷＦＯＶ無限焦点前置光学系３３０構成の実施の形態のための光学的規定の一例を与える。この例示システムのための光学的規定は、業界標準であり、当業者には公知であろう等式を用いて生成されてもよい。しかしながら、表１において与えられる規定は単に例示的であること、およびＷＦＯＶ無限焦点前置光学系のさまざまな実施の形態の規定はシステムによって実行される意図されるタスクによって判断されることが理解される。表１における単位はセンチメートルである。
【００２０】
【表１】
2016510557.tif 000003
【００２１】
表１では、Ｒｄと指定された欄は表面の半径であり、負符号（−）は、曲率中心が表面の左にあることを示す。ＣＣと指定された欄は、円錐曲線（二重シートの（double sheeted）円錐面を通る平面切断）の偏心度の負の２乗された値と等しい円錐定数である。「Ｔｈｋ」と指定された欄は、表面の厚みである。「Ｍａｔｌ」と指定された欄は、素子の材料である（Ｒｅｆｌは「反射性」を意味する）。ｘｙｚ座標系に関して、ｙ軸を接平面にとり、ｘ軸をサジタル平面にとって、光軸をｚ軸と考える。ＹＤｅｃと指定された欄は、偏心化距離である。偏心化はｙ軸に沿って線形測定の単位で測定され、座標系の原点からの表面の頂点の変位を表す。Ｙｔｉｌｔと指定された欄は、傾斜を記載する。ミラー表面の各々は回転面として形成されてもよく、これは円錐曲線を軸のまわりで回転させることによって行われる。Ｙｔｉｌｔ欄は、この軸のｙｚ面における傾斜を与える。傾斜の度合の正の数は、ｘｙｚ座標系を参照して反時計回りの方向における傾斜を表す。
【００２２】
したがって、局面および実施の形態は、複数の広く分離した地上ベースの位置に同時にアクセスして、気象条件を緩和し向上した通信能力を与えることが可能である先進のＬＣ端末を与える。各ＬＣ端末が複数の位置にアクセスすることが可能であるので、大きな地理的領域にわたって堅固なカバレージを与えるために必要とされるＬＣ端末の総数が最小限にされ得る。ＷＦＯＶ無限焦点前置光学系と各チャネルに対するビームステアリングミラーとの組合わせを用い、一方で、さらに、上に論じられたように、各チャネルに関連付けられる大多数の電子機器および構成要素を（ジンバル外で）本体に搭載することによって、所望のカバレージを与えるために大きい角度にわたって移動される必要のあるハードウェアの量が最小限にされ得る。加えて、ＷＦＯＶ無限焦点前置光学系とビームステアリングミラーとの組合わせは、ＬＣ端末の複数チャネルが、前置光学系の視野内に位置する任意の位置に速やかにかつ内部的に向けられ安定されることを可能にする。ある実施の形態では、地上位置は、データが各それぞれの位置と関連付けられるチャネルをわたって送信されることに加えて、「ビーコン」信号を送信するように構成されてもよい。ビーコン信号は、ＬＣ端末によって用いられることにより、正確なチャネルが、関連付けられる地上位置に正確に向けられ安定させられる状態で保持される。さらに、ビーコン信号が受信されないことは、ＬＣ端末に対して、気象条件または他のなんらかの条件もしくはエラーが、関連付けられる地上位置との通信を妨げている旨を示してもよく、ＬＣ端末は、代替位置との通信を確立してもよい。従来のデータ／ビーコン分離技術は、たとえば、ビーコン信号を得るためにチャネルトランシーバ１１０および１２０において実現されてもよい。したがって、局面および実施の形態は、気象または他の条件を緩和し、堅固な通信を与えるために、複数の位置にアクセスすることにおいて、最大の機敏性をＬＣ端末を与え得る。
【００２３】
少なくとも一実施の形態のいくつかの局面を上に記載したが、さまざまな変更、修正および改良が当業者には容易に想起されることが理解される。たとえば、図１および図３において示されるブロック図は２つのチャネルを含むＬＣ端末を示すが、端末は、２つに限定されない任意の数のチャネルとともに構成されてもよく、この開示の恩恵を与えられて、当業者によって理解されるように、周知のチャネル分割技術を用いて、各チャネルごとに信号を分離してもよい。そのような変更、修正および改良は、この開示の一部であるように意図され、この発明の範囲内にあるように意図される。したがって、前述の記載および図面は例示のみによるものであり、この発明の範囲は特許請求の範囲の適切な構築物およびそれらの等価物から判断されるべきである。
【図１】
2016510557.tif 000004
【図２】
2016510557.tif 000005
【図３】
2016510557.tif 000006
【図４】
2016510557.tif 000007
【国際調査報告】
2016510557.tif 000008
2016510557.tif 000009
2016510557.tif 000010